(57)【特許請求の範囲】
【請求項１】
器体側のガス接手に対して接続すべきガス管の端部に備えた接続接手を嵌入接続固定するガス管接続装置であって、
前記ガス管接続装置は、器体側のガス接手と、ガス管側の接続接手と、押え板とを備え、
前記器体側のガス接手は、前記ガス管側の接続接手の先端挿入部が挿入される接続口と、前記接続口の下部両側に設けられ、斜状ガイド部を有しかつ該斜状ガイド部の下端と前記接続口の端面との間に前記押え板の引掛け爪部の挿入間隙を形成する引掛部と、前記ガス接手の上部に設けられたビス止め可能な取付座とを備え、
前記ガス管側の接続接手は、前記器体側のガス接手の前記接続口の挿入管部に嵌入するＯリングを備えた前記先端挿入部と、前記押え板の管挿通押え部と係合可能な環状凸条と、ガス管接続部とを備え、
前記押え板は、前記接続接手のガス管接続部を股いで前記環状凸条に係合可能な双股状押し込み保持部と、該双股状押し込み保持部の下端に設けられた前記ガス接手の前記引掛部に引っ掛かる引掛け爪部と、前記双股状押し込み保持部の上部に設けられ、前記ガス接手の前記取付座への固定のための固定用段部と、操作用のレバー部とを一体に有するものであり、さらに、前記固定用段部は、前記ガス接手の前記取付座に該固定用段部をビス止めするための挿通孔を備え、
そして、前記ガス管接続装置は、前記押え板の前記双股状押し込み保持部を前記接続接手の環状凸条の後部の前記ガス管接続部に股がせ、下端の前記引掛け爪部を前記ガス接手の前記引掛部の前記斜状ガイド部に沿って斜めに前記挿入間隙に挿入して引掛部に引掛け、前記押え板の前記操作用レバーを前記接続接手の嵌入方向に前記引掛部を支点として梃子を利かしながら引き起して、前記押え板の前記双股状押し込み保持部により前記ガス管側の接続接手の環状凸条を移動させることにより、前記ガス管側の接続接手の先端挿入部を前記器体側のガス接手の前記挿入管部に嵌入可能であり、かつ、当該状態にて前記押え板の前記固定段部を前記器体側のガス接手の前記取付座にビス止め可能であることを特徴とするガス管接続装置。
【請求項２】
前記器体側のガス接手は、前記接続口の口元に前記接続接手の環状凸条が当接可能な係合段部を備えている請求項１に記載のガス管接続装置。
【請求項３】
前記器体側のガス接手の前記接続口の下部両側に設けられた前記引掛部は、両者の中央の彎曲状連結部を介して前記ガス接手と一体に形成されている請求項１に記載のガス管接続装置。
【発明の詳細な説明】
【０００１】
【発明の属する技術分野】
この発明は、各種ガス機器において、器体側のガス接手に対して接続すべきガス管の端部に備えた接続接手を嵌入接続固定するガス管接続装置に関する。
【０００２】
【従来の技術】
従来のこの種のガス管接続装置としては、たとえば、図７乃至図９に例示されている構造のものがある。すなわち、図７に例示されているものは、器体側のガス接手１０１に対して接続すべきガス管（たとえば、金属可撓管、以下同じ）１０２の端部に備えられた接続接手１０３をＯリング１０４を介在して嵌入し袋ナット１０５で抜脱しないように締付け接続固定した、いわゆる、Ｏリング接続＋袋ナットによるもの、又は図８に例示されているものは、器体側のガス接手１０１に対して接続すべきガス管１０２の端部に備えた接続接手１０３をＯリング１０４を介在して嵌入し両接手１０１、１０３のフランジ部１０６、１０７を締付けボルト１０８により締付けて接続固定した、いわゆる、フランジ押え＋ねじ締めによるもの、さらに図９に例示されているものは、器体側のガス接手１０１に対して接続すべきガス管１０２の端部に備えられた接続接手１０３をねじ部１０９、１１０にシール材を塗るか又は貼りつけてねじ締め接続固定した、いわゆる、ねじ締め＋シール材によるもの、などが一般に多く実施されている。
【０００３】
【発明が解決しようとする課題】
しかしながら、こうしたガス管接続装置であって図７及び図８に例示されているものは、何れも器体側のガス接手１０１に対するガス管側の接続接手１０３の嵌入接続にはＯリング１０４を介在しＯリング１０４を若干押しつぶす状態のもとに緊密に嵌入する必要があることからその嵌入には大きな力を要するなどその嵌入接続作業には困難性がともない、特に、接続すべきガス管１０２が可撓管である場合にはガス接手１０１に対する接続接手１０３の嵌入に十分な力が入らず簡単には嵌入できず確実に嵌入接続するには多くの手間がかかるといった問題点があり、図９に例示されているものでは、ねじ締めに特別の工具を用いる必要がある。また、図７に例示されているものは、別の部品１１２を用いて抜け止め、ゆるみ止めなどの処置を採る必要があるなど何れも接続作業が困難で、しかも、ガス漏れのない安全接続にも不安があるといった問題点があった。
この発明のガス管接続装置は上記課題を解決し、ワンタッチ操作でガス管接続が容易、確実に行い得て作業性及び安全性を高めたガス管接続装置の提供を目的としている。
【０００４】
【課題を解決するための手段】
上記課題を解決するこの発明の請求項１のガス管接続装置は、
器体側のガス接手に対して接続すべきガス管の端部に備えた接続接手を嵌入接続固定するガス管接続装置であって、
前記ガス管接続装置は、器体側のガス接手と、ガス管側の接続接手と、押え板とを備え、
前記器体側のガス接手は、前記ガス管側の接続接手の先端挿入部が挿入される接続口と、前記接続口の下部両側に設けられ、斜状ガイド部を有しかつ該斜状ガイド部の下端と前記接続口の端面との間に前記押え板の引掛け爪部の挿入間隙を形成する引掛部と、前記ガス接手の上部に設けられたビス止め可能な取付座とを備え、
前記ガス管側の接続接手は、前記器体側のガス接手の前記接続口の挿入管部に嵌入するＯリングを備えた前記先端挿入部と、前記押え板の管挿通押え部と係合可能な環状凸条と、ガス管接続部とを備え、
前記押え板は、前記接続接手のガス管接続部を股いで前記環状凸条に係合可能な双股状押し込み保持部と、該双股状押し込み保持部の下端に設けられた前記ガス接手の前記引掛部に引っ掛かる引掛け爪部と、前記双股状押し込み保持部の上部に設けられ、前記ガス接手の前記取付座への固定のための固定用段部と、操作用のレバー部とを一体に有するものであり、さらに、前記固定用段部は、前記ガス接手の前記取付座に該固定用段部をビス止めするための挿通孔を備え、
そして、前記ガス管接続装置は、前記押え板の前記双股状押し込み保持部を前記接続接手の環状凸条の後部の前記ガス管接続部に股がせ、下端の前記引掛け爪部を前記ガス接手の前記引掛部の前記斜状ガイド部に沿って斜めに前記挿入間隙に挿入して引掛部に引掛け、前記押え板の前記操作用レバーを前記接続接手の嵌入方向に前記引掛部を支点として梃子を利かしながら引き起して、前記押え板の前記双股状押し込み保持部により前記ガス管側の接続接手の環状凸条を移動させることにより、前記ガス管側の接続接手の先端挿入部を前記器体側のガス接手の前記挿入管部に嵌入可能であり、かつ、当該状態にて前記押え板の前記固定段部を前記器体側のガス接手の前記取付座にビス止め可能であることを要旨とする。
【０００５】
上記課題を解決するこの発明の請求項２のガス管接続装置は、上記請求項１記載のガス管接続装置において、
前記器体側のガス接手は、前記接続口の口元に前記接続接手の環状凸条が当接可能な係合段部を備えていることを要旨とする。
【０００６】
上記課題を解決するこの発明の請求項３のガス管接続装置は、上記請求項１記載のガス管接続装置において、
前記器体側のガス接手の前記接続口の下部両側に設けられた前記引掛部は、両者の中央の彎曲状連結部を介して前記ガス接手と一体に形成されていることを要旨とする。
【０００７】
上記構成を有するこの発明の請求項１記載のガス管接続装置は、器体側のガス接手に対して接続すべきガス管の端部に備えられた接続接手を嵌入接続固定するにあたり、ガス接手の接続口に一体形成された引掛部に、別体の押え板の引掛け爪部を挿入して引掛けると同時に押え板の押し込み保持部の管挿通押え部を接続接手の凸条の後部に股がせ当接し、一体の操作用レバー部を持って押え板を接続接手の嵌入方向へ所定の角度だけ上記引掛部を支点として引き起こすか又は押し起こすと、押え板の押し込み保持部でガス接手に対し接続接手が梃子を利かしながら所定位置までＯリングを若干押しつぶして緊密に嵌入する。その後、中間の固定用段部をガス接手の取付座に固定用ビスを挿通孔から挿入してビス止め固定することにより器体側のガス接手に対してガス管側の接続接手を嵌入接続固定することができる。この結果、ガス接手に接続接手を同一軸心を保ってあてがい押え板を嵌めて起こすだけのワンタッチ操作でガス接手に対し接続接手をＯリングが若干押しつぶされた状態のもとに緊密を保って簡易、かつ、確実に嵌入接続することができ、作業性及び安全性は著しく高められる。
【０００８】
そして、上記ガス接手の接続口に一体形成される引掛部は接続口の下部に、また、取付座はガス接手の上部に突出形成されているから、ガス接手の引掛部に対する押え板の引掛け爪部の挿入引掛け作業が上方から容易に行え、押え板を引き起こすか又は押し起こした後の押え板の固定用段部の取付座への固定用ビスによるビス止め固定作業も上方から簡易に行える。この結果、ガス接手に対する接続接手の押え板による嵌入接続固定作業が非常にやり易く、スペースのない部位での接続作業であっても簡単、かつ、確実で、しかも、能率的に接続作業が行えるものである。
【０００９】
さらに、押え板の押し込み保持部が先端に引掛け爪部を有する管挿通押え部が接続接手の凸条に係合される双股状に形成されているから、これが接続接手を股いで両側の先端引掛け爪部がガス接手の両側の引掛部に引掛けられ、また、両側の管挿通押え部が接続接手の凸条の両側に係合されるため、押え板による接続接手の嵌入が安定的に行いうる。この結果、ガス接手に対する接続接手の押え板による嵌めつけ固定がぶれることなく正確、かつ、適正に、しかも、軽快に行えるものである。
【００１０】
【発明の実施の形態】
以上説明したこの発明の構成、作用を一層明確にするために、以下この発明のガス管接続装置の好適な実施の形態の一例について図面を参照して説明する。
【００１１】
図１乃至図６を参照して一実施形態に係るガス管接続装置の構成、作用について説明する。
図１及び図２はビルトインこんろのガス配管接続の一例としてこんろとオーブンとを備えた場合のオーブンからこんろへのガス配管接続時の要部だけを示したものであって、器体側のガス接手Ａは図５及び図６にも例示されているように、ビルトインこんろのガス配管接続に必要なオーブンのない通常施工時のガス配管接続口１と、オーブン接続時のガス配管接続口２と、ガス点滅器などの器具栓へのガス配管接続口３と、予備ガスコンセントへのガス配管接続口４とを各々のガス通路を介して相互に連通して集中的に一体形成し単一の複合接続接手に構成したことにより、１つのガス接手でビルトインこんろのガス配管に必要なすべてのガス配管接続が行えるようになっており、このガス接手Ａはガスこんろの器具本体５に設置されており、そのオーブン接続時のガス配管接続口２にオーブン６からのガス管７を接続固定する手段としてこの発明を適用している。
【００１２】
上記ガス接手Ａのオーブン６からのガス配管接続口２の下部に後述する押え板Ｂの引掛け爪部８を引掛け支持する引掛部９を一体に備えている。この引掛部９は、たとえば、図５及び図６に示されているように、両側の斜状ガイド部９ａの下端と接続口２の端面２ａとの間に挿入間隙ａを形成した構造となっており、中央の彎曲状連結部９ｂを介してガス接手Ａと一体に形成されている。そして、上記ガス接手Ａのガス配管接続口２の上部には後述する押え板Ｂの固定用段部１２をビス止め固定するための取付座１０が上方へ突出して一体形成されている。また、上記ガス配管接続口２は後述する接続接手Ｃの凸条１３が係合する係合段部２ｂを口元に有し接続接手Ｃの先端挿入部１４がＯリング１５を介在して嵌入する挿入管部２ｃを備えている（図４参照）。
【００１３】
上記押え板Ｂはオーブン６からのガス管７の端部に備えられた接続接手Ｃをガス配管接続口２にワンタッチ操作で嵌入接続固定するためのもので、上記ガス接手Ａの接続口２の下部に形成されている引掛部９の挿入間隙ａに上方から挿入して引掛ける引掛け爪部８を下端に有し、上部には上記接続接手Ｃの凸条１３に係合する管挿通押え部１６を備えた双股状の押し込み保持部１７と操作用のレバー部１８とを中間の固定用段部１２を介して略クランク状に屈折して一体形成され、固定用段部１２には上記ガス接手Ａの取付座１０にビス止めする固定用ビス１９の挿通孔２０を穿った構造となっている。なお、上記双股状の押し込み保持部１７の中央空間１７ａは後述の接続接手Ｃの外径と同一か若干大きくなっており、その上端部は接続接手Ｃに順応すべく円弧状に形成されている。図中２１は上記押し込み保持部１７の両側に前方へ屈折して一体に備えられたカバーを兼ねた補強片である。
【００１４】
上記接続接手Ｃはガス管７の端部に備えられ、管状本体２２に上記押え板Ｂの双股状の押し込み保持部１７が係合する環状の凸条１３とＯリング１５を有する先端挿入部１４及びガス管接続部２３を備えた構造となっている。そして、上記Ｏリング１５の外径は上記接続口２の挿入管部２ｃの内径より若干大きくなっていて、嵌入時にはＯリング１５が若干押しつぶされた状態となって緊密度が保たれるようになっている。また、上記先端挿入部１４と接続口２の挿入管部２ｃとは略同一径に形成されている。
【００１５】
上記構成において、器体側のガス接手Ａのガス配管接続口２に対して接続すべきオーブン６からのガス管７の端部に備えられた接続接手Ｃを嵌入接続固定する手順の一例について説明すると、先ずガス接手Ａの接続口２とガス管７の接続接手Ｃを同一軸線上に位置し（図４参照）、接続口２の挿入管部２ｃに接続接手Ｃの先端挿入部１４を嵌め込むと、先端挿入部１４のＯリング１５が挿入管部２ｃの口元につかえて（図２の状態参照）通常の押し込み力ではそれ以上嵌入できない。
そこで、押え板Ｂを接続接手Ｃの環状凸条１３の後部にその双股状の押し込み保持部１７を接続接手Ｃのガス管接続部２３を股いで若干斜め状態のもとに上方から挿し込み先端引掛け爪部８を接続口２の下部の引掛部９の挿入間隙ａ内に挿入して引掛けると同時に管挿通押え部１６を接続接手Ｃのガス管接続部２３上に股がせ当接する（図２の実線で示す状態参照）。その後、押え板Ｂの操作用レバー部１８を持って押え板Ｂを接続接手Ｃの嵌入方向（図示左方）へ所定の角度だけ上記引掛部９を支点として引き起こすか又は押し起こす状態に回動せしめると、押え板Ｂの管挿通押え部１６が接続接手Ｃの環状凸条１３に係合されて押え板Ｂで接続接手Ｃを所定の位置まで図示左方へ移動して嵌入する（図２の鎖線で示す状態参照）。このとき、押え板Ｂで梃子を利かしながらの強力な押動力のもとに接続接手Ｃを所定位置までＯリング１５を若干押しつぶして移動させ、接続口２の挿入管部２ｃに接続接手Ｃの先端挿入部１４を緊密に嵌入する。
上記嵌入動作終了後、押え板Ｂの固定用段部１２を接続口上部の取付座１０に固定用ビス１９をビス挿通孔２０から挿入して締めつけビス止め固定することにより、接続接手Ｃの環状凸条１３が押え板Ｂの押し込み保持部１７の管挿通押え部１６に係合されて接続接手Ｃは接続口２に対して抜脱することなく強固、確実に嵌入接続固定されるのである（図１の状態参照）。
【００１６】
上記ガス配管接続部を保守、点検その他で取り外す場合は、先ず、固定用ビス１９を外し押え板Ｂを図示右方へ回動して接続口２と接続接手Ｃの結合関係を解けば接続接手Ｃは接続口２から容易に抜脱することができる。
【００１７】
以上この発明の実施の形態の一例について説明したが、この発明はこうした実施の形態のものに何等限定されず、この発明の要旨を逸脱しない範囲において種々なる形態で実施しうることは勿論である。
たとえば、実施の形態のビルトインこんろにおけるオーブン接続時の複合接続接手を用いたガス配管接続に限らず、単独の各種ガス配管接続にも適用できる。また、押え板の形状も実施の形態のものに限らないこと勿論である。
【００１８】
【発明の効果】
この発明は以上説明したような形態で実施され、以下に記載されるような効果を奏する。
【００１９】
この発明のガス管接続装置によれば、器体側のガス接手に対して接続すべきガス管の端部に備えられた接続接手の嵌入接続固定が、ガス接手に接続接手を同一軸心を保って位置させ押え板を嵌めて起こすだけというワンタッチ操作でガス接手に対し接続接手が緊密を保って簡易、かつ、確実に、しかも、軽快に嵌入接続固定できるから、作業性及び安全性は高められ、また、特別の工具を用いる必要がないためにスペースのない部位での接続作業も容易に行いうる。
【００２０】
また、ガス接手に対する接続接手の押え板による嵌入固定が梃子を利かしながら軽く行えるので、従来のように手作業で押し込み嵌入する困難性が解消され、特に、ガス管に金属可撓管などを用いた場合に効果的である。
【００２１】
さらに、ガス接手に対する接続接手の押え板による抜脱防止も併せ行われるので、従来のように特別の抜脱防止手段を付設する必要はなく、部品点数の減少と相まってコスト的にも有利である。
【図面の簡単な説明】
【図１】この発明のガス管接続装置の使用状態の一例を示す一部切断正面図である。
【図２】要部の接続途中の状態を示した一部切断正面図である。
【図３】要部の構成部品の一例を示した斜視図である。
【図４】同一部切欠正面図である。
【図５】ガス接手の一例として複合接続接手を示した正面図である。
【図６】同平面図である。
【図７】従来のＯリング接続＋袋ナットによるものの一例を示した要部だけの半断面図である。
【図８】従来のフランジ押え＋ねじ締めによるものの一例を示した要部だけの断面図である。
【図９】従来のねじ締め＋シール材によるものの一例を示した要部だけの断面図である。
【符号の説明】
Ａ…ガス接手
Ｂ…押え板
Ｃ…接続接手
２…ガス配管接続口
７…ガス管
８…引掛け爪部
９…引掛部
１０…取付座
１２…固定用段部
１６…管挿通押え部
１７…押し込み保持部
１８…操作用レバー
１９…固定用ビス
【図１】
0004691671.tif 000002
【図２】
0004691671.tif 000003
【図３】
0004691671.tif 000004
【図４】
0004691671.tif 000005
【図５】
0004691671.tif 000006
【図６】
0004691671.tif 000007
【図７】
0004691671.tif 000008
【図８】
0004691671.tif 000009
【図９】
0004691671.tif 000010